(57)【要約】【課題】出荷時等においてコンパクトに折り畳めるように、糸調子を備えた調整台の構成を改善する。【解決手段】糸調子を備えた調整台１１は針棒ケース１０の上部に配置され、該針棒ケース１０と一緒に横方向にスライド変位可能である。該針棒ケース１０に対する該調整台１１の傾きを可変調節する調節機構１１０が設けられる。調節機構１１０は、調整台１１を、立てた状態と寝かせた状態との間で、変位可能にする。調節機構１１０は、調整台１１に設けられ、該調整台の移動経路を規定する案内部２１、２３、２４と、針棒ケース１０に設けられ、該案内部に係合する突起２６ａ，２６ｂとを含み、該突起が該案内部に案内されることにより、調整台１１が規定された移動経路に沿って移動する。案内部は、軌跡の異なる２つの案内路２３、２４を形成しており、各案内路に各突起が係合する。【選択図】図５
2018187077.tif 000002
【特許請求の範囲】
【請求項１】
縫いヘッドと、
前記縫いヘッドを搭載したアームとを備え、
前記縫いヘッドは、
複数の針のいずれかを選択するために前記アームに対して横方向に変位可能な針棒ケースと、
各針の上糸に張力を付与し且つ該張力を調整する糸調子機構を搭載し、前記針棒ケースと一緒に横方向に変位可能なように該針棒ケースの上部に配置された調整台とを備え、
前記針棒ケースに対する前記調整台の傾きを可変調節する調節機構を設けたことを特徴とする多針ミシン。
【請求項２】
前記調節機構は、前記調整台を、立てた状態と寝かせた状態との間で、変位可能にするものである、請求項１の多針ミシン。
【請求項３】
前記寝かせた状態は、前記調整台を後方に傾倒させた状態からなる、請求項２の多針ミシン。
【請求項４】
前記調節機構は、前記調整台を前記立てた状態で前記針棒ケースに係合させる係合構造を含み、該係合構造による係合を解除した状態で前記調整台を前記寝かせた状態に変位させるように構成されている、請求項２又は３の多針ミシン。
【請求項５】
前記調節機構は、前記調整台に設けられ、該調整台の移動経路を規定する案内部と、前記針棒ケースに設けられ、前記案内部に係合する突起とを含み、前記針棒ケースに対する前記調整台の配置角度を調節するために該調整台を動かすとき、前記突起が前記案内部に案内されることにより、該調整台が前記規定された移動経路に沿って移動するように構成されている、請求項１乃至４のいずれかの多針ミシン。
【請求項６】
前記案内部は、軌跡の異なる２つの案内路を形成しており、前記突起は、各案内路に係合する２つの突起からなる、請求項５の多針ミシン。
【発明の詳細な説明】
【技術分野】
【０００１】
本発明は、単頭式の多針刺繍機のような多針ミシンに関し、特に、調整台の配置を改善した多針ミシンに関する。
【背景技術】
【０００２】
例えば下記特許文献１及び２に開示されているように、Ｔシャツや帽子など筒状の被加工物に対して刺繍を行う、スポーツ用品店や衣料品店などショップでの使用に適した小型の多針ミシン／刺繍機が知られている。周知のとおり、ミシンヘッドは、複数の針棒を収納した針棒ケースと、上糸の張力を調整するための糸調子や糸切れを検出するための検出装置が配設された調整台とで構成されており、調整台は針棒ケースの上部に固定されている。また、ミシンヘッドの後方には糸駒を載置するための糸立て部材が備えられている。
【先行技術文献】
【特許文献】
【０００３】
【特許文献１】特開２００４−１４８０５８号
【特許文献２】特開２０１５−１２３３３８号
【発明の概要】
【発明が解決しようとする課題】
【０００４】
このような多針ミシンは、工場出荷時においては、糸立て部が取り外され、コンパクトなサイズにしてダンボールなどの梱包材に収納される。多針ミシンの梱包サイズが小さければ小さいほど、梱包材や輸送にかかる費用などを抑えることができる。特に、海外への輸出に際しては、ダンボールの大きさによってコンテナに搭載できる数量が異なってくるため、できるだけ多針ミシンの梱包サイズを小さくすることが望まれる。例えば、コンテナ内に三段積みできるかできないかでは、輸送可能な数量に大きな差ができると共に、仮に三段積みできないサイズの場合、二段積みで空いた上部スペースが無駄となってしまう。
【０００５】
しかし、従来の多針ミシンは調整台が針棒ケースの上部に立設した状態で固定されるため、糸立て部を取り外しても、固定された調整台の高さよりも低くなるようにコンパクト化することができなかった。例えば、特許文献１に示された多針ミシンにおいては、調整台は針棒ケース前面に対して幾分傾く程度に切り立って立設されている。この場合、正面から見て調整台が見やすくかつ操作しやすいが、調整台の高さは高くなる。そのため、高さ方向にコンパクト化するには限度がある。一方、特許文献２に示された多針ミシンにおいては、調整台は針棒ケース前面に対して９０度近く傾くように略フラットに配置されている。この場合、調整台の高さは低くなるが、調整台は略フラットに仰向けになった状態であるため、正面から見て調整台が見にくくかつ操作しにくい傾向がある。また、アーム部に載置された糸案内機構から調整台に向く上糸供給経路、及び調整台から針棒ケースに向く上糸供給経路の２箇所において上糸の通り道が極端に屈曲されることにより、これら２箇所の屈曲位置において上糸に余分な負荷が掛かってしまうため、上糸にかかる張力が安定せず、縫いにはあまり望ましいとは言えない。
【０００６】
なお、工場出荷時の梱包サイズをコンパクトにするために、調整台を脱着式にミシンヘッドに装備することも考えられるが、そうすると調整台に繋がる電気配線類も着脱式にしなければならず、梱包を解いて使用状態に組み立てる際に、調整台の組み付けと電気配線類の接続の両方を行う必要があり、組み立てが面倒になると共に、手間がかかるという問題がある。
【０００７】
本発明は、上述の点に鑑みてなされたもので、出荷時等においてコンパクトに折り畳めるように調整台の構成を改善した多針ミシンを提供しようとするものである。
【課題を解決するための手段】
【０００８】
本発明に係る多針ミシンは、縫いヘッドと、前記縫いヘッドを搭載したアームとを備え、前記縫いヘッドは、複数の針のいずれかを選択するために前記アームに対して横方向に変位可能な針棒ケースと、各針の上糸に張力を付与し且つ該張力を調整する糸調子機構を搭載し、前記針棒ケースと一緒に横方向に変位可能なように該針棒ケースの上部に配置された調整台とを備え、前記針棒ケースに対する前記調整台の傾きを可変調節する調節機構を設けたことを特徴とする。
【０００９】
本発明によれば、針棒ケースに対する調整台の傾き（姿勢）を可変調節する調節機構を設けたことにより、針棒ケースから調整台を取り外すことなく、縫い稼働時の使用に適した調整台の傾き（例えば立てた状態）と、梱包時に適した調整台の傾き（例えば寝かせた状態）、のいずれにでも調節することができる。したがって、工場出荷時における多針ミシンの梱包サイズを従来に比べて小さくすることができ、梱包材や輸送にかかる費用などを抑えることができる。また、縫い稼働時には、調整台の傾きを、正面から見て調整台が見やすくかつ操作しやすい姿勢（例えば立てた状態）に設定することができる。さらに、梱包サイズを小さくするために調整台を針棒ケースから取り外す必要がないので、調整台に繋がる電気配線類を着脱式にする必要がなく、梱包を解いて使用状態に組み立てる際に手間がかからないものとなる。
【図面の簡単な説明】
【００１０】
【図１】本発明の一実施例に係る多針ミシンの斜視図。
【図２】図１の一実施例における調整台の分解斜視図。
【図３】図１の一実施例において、調整台を針棒ケースの上部に組み立てた状態を抽出して示す分解斜視図。
【図４】図１の一実施例において、調整台を寝かせた状態を示す分解斜視図。
【図５】図１の一実施例において、調整台の姿勢（傾き）を図１に示す立てた状態（使用状態）から図４に示す寝かせた状態（梱包状態）に切替える手順を説明する側面図。
【発明を実施するための形態】
【００１１】
図１は、本発明の一実施例に係る多針ミシンＭが使用状態に組み立てられた状態を示している。図１において、多針ミシンＭは、左右方向に間隔をもって配置された一対の脚部１と、脚部１から立設する脚柱部２と、脚柱部２の上端から前方に延びるアーム部３と、複数の糸駒（図示せず）を載置するために該アーム部３の両側に沿って設けられた糸立て部４と、アーム部３の先端に設けられたミシンヘッド５と、脚柱部２から前方に延びるシリンダベッド６と、被加工物を保持する刺繍枠（図示せず）をＸ、Ｙ方向へ移動させる枠駆動部７と、刺繍縫い動作に関連する制御／設定／指示のためのスイッチ類及びディスプレイを含む操作パネル８とを備えている。なお、操作パネル８の配置は使用位置（図１）と収納位置（図４）とに切替え可能である。
【００１２】
ミシンヘッド５は、それぞれの下端部に縫い針９が装着された複数本の針棒（図示外）を収納した針棒ケース１０を備えている。針棒ケース１０は、アーム部３に対して左右方向（つまり、横方向）へスライド変位可能であり、針棒ケース１０のスライドによって選択された針棒がアーム部３内に設けられた針棒駆動機構（図示外）により上下に往復駆動され、シリンダベッド６内に設けられた釜との協働により、刺繍枠に保持された被加工物に所定の縫いが行われる。
【００１３】
針棒ケース１０の上部には調整台１１が配置されており、該調整台１１は針棒ケース１０と一緒に左右方向（横方向）に変位される。調整台１１は、各針の上糸に張力を付与し且つ該張力を調整する糸調子機構を搭載している。すなわち、調整台１１の前面には、その上側において針棒と同数の糸調子１２が上下二列に分けて配置されている。糸調子１２は、周知のとおり、上糸を挟み込む二枚一対の糸調子皿を備えており、一対の糸調子皿の間に上糸を通し、調節ダイヤル１２ａを回して一対の糸調子皿を圧接させることで上糸に所定のテンションを与えるようになっている。なお、上側の糸調子１２と下側の糸調子１２の間には、前方に向けて回動可能な糸押さえ１３が設けられている。
【００１４】
調整台１１の前面の下側には、針棒と同数の糸切れ検出装置１４が上下二列に分けて配置されている。糸切れ検出装置１４の構造は従来と同じであり、円盤状のホイール１４ａに上糸を巻き付け、ホイール１４ａの回転を監視することで糸切れを検出するようになっている。
【００１５】
アーム部３の上面には支持棒１５が立設され、その支持棒１５の先端に糸道体１６が固定されている。糸道体１６の左右の縁部にはそれぞれ糸挿入口１７が設けられている。各糸挿入口１７にはチューブ１８の上端が連結されており、該チューブ１８の他端は調整台１１側に連結されている。したがって、糸立て部４に載置された各糸駒（図示せず）からの上糸は、糸道体１６の糸挿入口１７からチューブ１８内に通され、調整台１１前面の糸調子１２、糸切れ検出装置１４へと導かれた後、縫い針９に供給される。
【００１６】
図２及び図３に示すように、前記調整台１１及び針棒ケース１０に関連して、該針棒ケース１０に対する該調整台１１の傾きを可変調節する調節機構１１０が設けられる。調節機構１１０は、大別して、調整台１１を針棒ケース１０に取り付けるための調整台取付ベース１９と、取付角度を調節して調整台取付ベース１９を針棒ケース１０に取り付けるために調節部材群１１１とを含む。調節部材群１１１は、追って詳しく説明するように、調整台取付ベース１９（調整台１１）の側に設けられたガイド部２１及び案内溝２３、２４と、針棒ケース１０の側に設けられた固定ベース２２及び係合用の複数のネジ孔と、係合用のネジ２５、２６ａ，２６ｂ等からなる。調整台１１は調整台取付ベース１９上に固定され、この調整台取付ベース１９が調節部材群１１１によって調節可能な取付角度で針棒ケース１０に対して取り付けられることにより、該針棒ケース１０に対する該調整台１１の傾きを可変調節した状態で、該調整台１１が針棒ケース１０に固定される。
【００１７】
図２に示すように、調整台取付ベース１９は、調整台１１を斜めに載置するための傾斜面２０と、その両端部から下方に向けて延出する１対のガイド部２１を備えている。図３に示すように、針棒ケース１０の背面上部には固定ベース２２が設けられている。両ガイド部２１の間隔は針棒ケース１０の背面上部に設けられた固定ベース２２の幅とほぼ同一であり、両ガイド部２１で固定ベース２２を挟み込むような格好で、調整台１１が針棒ケース１０の上部に設置される。
【００１８】
一例として、調節機構１１０は、調整台１１を、立てた状態と寝かせた状態との間で、変位可能にするものである。図１及び図３は調整台１１を立てた状態を示しており、図４は調整台１１を寝かせた状態を示している。一例として、寝かせた状態とは、図４に示すように該調整台１１を後方に傾倒させた状態であり、工場出荷時等において多針ミシンＭをコンパクトに梱包するときの状態（梱包状態）である。調整台１１は、針棒ケース１０の固定ベース２２の側面を調整台取付ベース１９の両ガイド部２１で挟み込むようにして、針棒ケース１０の上に載置され、該調整台１１を立てた状態又は寝かせた状態のいずれかに設定した上で、ネジ２５により固定される。なお、図４においては、調整台取付ベース１９のガイド部２１がカバー１１２で覆われた状態を示しており、調節部材群１１１が外から見えないようになっている。図３においては、そのようなカバー１１２を取り外した状態を示しており、調節部材群１１１が外から見える。
【００１９】
ガイド部２１には、２つの案内溝２３、２４がそれぞれ所定の形状（軌跡）及び配置で形成されている。奥側（図２で右側）の案内溝２３は直線状であり、手前側（図２で左側）の案内溝２４は奥側の案内溝２３より長く、その直線部２４ａは奥側の案内溝２３と平行であり、奥側の案内溝２３の下端に相当する位置から反時計周り方向に円弧部２４ｂが延設されている。
【００２０】
調整台取付ベース１９のガイド部２１に形成された各案内溝２３、２４には、針棒ケース１０の固定ベース２２における左右の側面に設けられた雌ネジ孔（図示せず）に螺合する雄ネジ２６ａ、２６ｂがそれぞれ嵌合する。これらの案内溝２３、２４の形状（軌跡）は、針棒ケース１０に対する該調整台１１の傾きを可変調節するために該調整台１１を動かす時に、該調整台１１の移動経路を規定するよう機能する。すなわち、調整台１１側に設けられた案内溝２３、２４と針棒ケース１０側に設けられた雄ネジ２６ａ、２６ｂ（つまり突起）との係合により、針棒ケース１０に対する調整台１１の配置角度を調節するために該調整台１１を動かすとき、各雄ネジ２６ａ、２６ｂ（つまり突起）が各案内溝２３、２４に案内されることにより、該調整台１１が前記規定された移動経路に沿って移動する。例えば、案内溝２３の直線状部分と案内溝２４の直線部２４ａとの組合せは、調整台１１を針棒ケース１０に対して直線的に上下に動かすことを可能にする移動経路を規定する。また、案内溝２４の下寄りに設けられた円弧部２４ｂは、案内溝２３の直線状部分の下端を略々支点として、調整台１１を後方に向けて傾倒させることを可能にする移動経路を規定する。こうして、調整台１１は、針棒ケース１０の固定ベース２２に対し、案内溝２３、２４に沿って上方にスライド移動可能であるとともに、後方に向けて傾倒可能になっている。
【００２１】
本実施例に係る多針ミシンＭを組み立てて使用状態に設定するとき、調整台１１は、図１及び図３に示すように、立てた状態に設定される。このように立てた状態では、調整台取付ベース１９のガイド部２１が直立しており、針棒ケース１０側に設けられた雄ネジ２６ａ、２６ｂ（つまり突起）が、それぞれガイド部２１の案内溝２３、２４の上端に位置して、雌ネジ孔（図示せず）に螺合しており、かつ、ネジ２５によって調整台取付ベース１９が針棒ケース１０の固定ベース２２にきつくネジ止めされる。
【００２２】
次に、図５を参照して、調整台１１の姿勢（傾き）を図１に示す立てた状態（使用状態）から図４に示す寝かせた状態（梱包状態）に切替える手順を説明する。なお、図４は、多針ミシンＭの梱包サイズを小さくするため、調整台１１が後方に向けて傾倒されていると共に、調整台１１に繋がるチューブ１８や、アーム部３に固定されている糸道体１６と支持棒１５が取り外され、操作パネル８も収納位置に折り畳まれている状態を示している。
【００２３】
まず、図５（Ａ）に示す立てた状態（使用状態）において、調整台１１を針棒ケース１０の固定ベース２２に固定しているネジ２５を取り外す。次に、調整台１１を上方へスライドさせながら持ち上げる。このとき、調整台取付ベース１９の両ガイド部２１の案内溝２３と案内溝２４の直線部２４ａが雄ネジ（係合用の突起）２６ａ、２６ｂにより直線的に案内されるため、調整台１１は垂直に上方へスライドされることになる。
【００２４】
そして、図５（Ｂ）に示すように案内溝２３の下端が雄ネジ（係合用の突起）２６ａに当接したら、調整台１１を後方に向けて回動させる。このとき、案内溝２４に嵌合する雄ネジ（係合用の突起）２６ｂの位置が直線部２４ａから円弧部２４ｂに移るため、図５（Ｃ）に示すとおり、調整台１１は雄ネジ（係合用の突起）２６ａを軸として円弧部２４ｂに沿って後方に回動して傾倒することになる。図５（Ｃ）は、調整台１１の姿勢が寝かせた状態（梱包状態）に切り替わった状態を示し、調整台１１はアーム部３の上面と略平行となり、調整台１１の前面が垂直方向に上向いている。つまり、調整台１１の前面が水平方向にフラットとなっており、上方への突出を最小限にして、コンパクト化を図っている。
【００２５】
なお、調整台１１を寝かせた状態（梱包状態）から立てた状態（使用状態）に切替える手順は上記の逆となり、調製台１１を引き起こした後、調整台１を下方へスライドさせて針棒ケース１０の固定ベース２２に載置し、ネジ２５を締め付ければよい。
【００２６】
こうして、ガイド部２１及び案内溝２３、２４と、固定ベース２２における係合用の複数の雌ネジ孔と、係合用のネジ２５、２６ａ，２６ｂ等からなる、調節機構１１０における調節部材群１１１が、前記調整台１１を立てた状態（使用状態）で前記針棒ケース１０に係合させる係合構造として機能し、該係合構造による係合を解除した状態で調整台１１を寝かせた状態（梱包状態）に変位させるように構成されている。
【００２７】
上記実施例のように、調節機構１１０において、ガイド部２１（案内部）が軌跡の異なる２つの案内溝２３、２４（案内路）を形成し、該ガイド部２１（案内部）に係合する針棒ケース１０側の突起が各案内溝２３、２４（案内路）に係合する２つの雄ネジ２６ａ、２６ｂ（突起）からなる構成とすることにより、針棒ケース１０に対する調整台１１の傾きを可変調節するために該調整台１１を動かすとき、針棒ケース１０に対して調整台１１を２点でしっかりと保持し、かつ、傾けることができるので、有利である。しかし、これに限らず、調節機構１１０は、針棒ケース１０に対する調整台１１の傾き（姿勢）を可変調節し得る構造からなるものであれば、如何なる構成からなるものを採用してもよい。また、本発明は、刺繍ミシンに限らず、その他の縫いミシンにおいて適用しうるものである。
【符号の説明】
【００２８】
Ｍ  多針ミシン
１  脚部
２  脚柱部
３  アーム部
４  糸立て部
５  ミシンヘッド
６  シリンダベッド
７  枠駆動部
８  操作パネル
９  縫い針
１０  針棒ケース
１１  調整台
１２  糸調子
１３  糸押さえ
１４  糸切れ検出装置
１５  支持棒
１６  糸道体
１７  糸挿入口
１８  チューブ
１９  調整台取付ベース
２１  ガイド部
２２  固定ベース
２３、２４  案内溝
２５、２６ａ，２６ｂ  ネジ
１１０  調節機構
１１１  調節部材群
【図１】
2018187077.tif 000003
【図２】
2018187077.tif 000004
【図３】
2018187077.tif 000005
【図４】
2018187077.tif 000006
【図５】
2018187077.tif 000007